(57)【要約】      （修正有）【課題】ＴＷＡＩＮ読み取りの生産性を下げずに、ランプ寿命を伸ばす。【解決手段】原稿給送手段と原稿を読み取るための光学系とを有し、光学系を停止させた状態でシート状の原稿を移動させながら当該原稿上の画像情報を読み取る第１のモードと、原稿読み取り面と光学的読み取り素子間の距離を一定に保ちながら光学系を副走査方向に移動させて原稿画像を読み取る第２のモードとが設定された画像読み取り装置において、前記第１のモードで原稿の読み取りが終了した後、所定条件を満たす場合は光源を点灯させたまま光学系の第１及び第２キャリッジは第１のモードの読み取り位置で待機させ、所定時間内に次の読み取り要求が来たら次の読み取り動作に移行させる。【選択図】図２Ｂ
2009130380.tif 000002
【特許請求の範囲】
【請求項１】
シート状の原稿を読み取り位置に搬送する原稿給送手段と、
光源及び第１ミラーを搭載した第１キャリッジ、並びに第２及び第３ミラーを搭載した第２キャリッジを有し、
前記第１及び第２キャリッジを停止させた状態でシート状の原稿を移動させながら当該原稿上の画像情報を読み取る第１のモードと、原稿読み取り面と光学的読み取り素子間の距離を一定に保ちながら前記第１及び第２キャリッジを副走査方向に移動させて原稿画像を読み取る第２のモードとが設定された画像読み取り装置において、
前記第１のモードで原稿の読み取りが終了した後、所定条件を満たす場合は光源を点灯させたまま前記第１及び第２キャリッジは前記第１のモードの読み取り位置で待機させ、所定時間内に次の読み取り要求が来たら次の読み取り動作に移行させる制御手段を備えていることを特徴とする画像読み取り装置。
【請求項２】
請求項１記載の画像読み取り装置において、
前記制御手段は、第１のモードで読み取り終了後、基準白板を読み取って前記第１のモードの読み取り位置で待機させ、所定時間内に次の読み取り要求がきたら前記次の読み取り動作に移行して原稿を読み取らせ、先に取得した基準白板データを用いて補正することを特徴とする画像読み取り装置。
【請求項３】
請求項１又は２記載の画像読み取り装置において、
前記所定条件が、前記原稿給送手段の原稿台に原稿がセットされ、前記原稿給送手段が読み取り側に対して閉状態で原稿の読み取り位置に原稿を給送可能な状態であることを特徴とする画像読み取り装置。
【請求項４】
請求項１ないし３のいずれか１項に記載の画像読み取り装置において、
カラーモードとモノクロモードの２つの読み取りモードを有し、前回の読み取りモードに対して今回要求された読み取りモードが前回のモードから変更された場合、前記制御手段は改めて基準白板データを読み取った後に原稿を読み取らせることを特徴とする画像読み取り装置。
【請求項５】
請求項４記載の画像読み取り装置において、
前記制御手段は、前記要求された読み取りモードがモノクロモードからカラーモードに変更された場合のみ、改めて基準白板データを読み取った後に原稿を読み取ることを特徴とする画像読み取り装置。
【請求項６】
請求項１ないし３のいずれか１項に記載の画像読み取り装置において、
カラーモードとモノクロモードの２つの読み取りモードを有し、前回の読み取りモードに対して今回要求された読み取りモードが前回のモードから変更された場合に、改めて基準白板データを読み取った後に原稿を読み取るか改めて基準白板データを読み取らずに原稿を読み取るかを選択する選択手段を備え、前記制御手段は前記選択手段によって選択された処理を実行させることを特徴とする画像読み取り装置。
【請求項７】
請求項１記載の画像読み取り装置において、
前記第１のモードで原稿読み取り終了後、所定条件を満たす場合、前記光源を点灯させたまま第１キャリッジを基準白板位置に移動、待機させ、所定時間内に次の読み取り要求がきた場合、基準白板及び原稿を読み取ることを特徴とする画像読み取り装置。
【請求項８】
請求項１記載の画像読み取り装置において、
前記所定時間内に次の読み取り要求がない場合、前記制御手段は、前記第１及び第２キャリッジを前記第１のモードの読み取り位置に移動させ、光源を消灯することを特徴とする画像読み取り装置。
【請求項９】
請求項１ないし８のいずれか１項に記載の画像読み取り装置と、
入力された画像情報に基づいて印字出力する出力手段と、
を備えていることを特徴とする画像形成装置。
【発明の詳細な説明】
【技術分野】
【０００１】
本発明は、デジタル複写機、スキャナ、ファクシミリ等に用いられる画像読み取り装置、及びこの画像読み取り装置を備えた複写機、プリンタ、ファクシミリ、デジタル複合機などの画像形成装置に関する。
【背景技術】
【０００２】
ＴＷＡＩＮはスキャナ、デジタルカメラなどの画像入力機器とパソコンを接続するための技術標準の１つとして知られている。この技術標準とは、機器がＴＷＡＩＮに対応していれば、ＴＷＡＩＮに対応したあらゆるアプリケーションソフトからでも画像の入力が可能というものである。
【０００３】
一方、画像読み取り装置に関連する技術として例えば特許文献１又は２記載の発明が知られている。このうち、特許文献１には、基準板を露光すると共に読み取り、シェーディング補正を行うデジタル画像読み取り装置において、画像読み取り動作について所定の速度優先モードと所定の画質優先モードとのそれぞれに任意に設定可能に構成され、一連の画像読み取り動作終了後に上記基準板の露光及び読み取り処理を行うと共に、次の画像読み取り動作が上記速度優先モードに設定されている場合は上記前回の読み取りデータを用いたシェーディング補正値を採用し、次の画像読み取り動作が上記画質優先モードに設定されている場合は該画像読み取り動作開始前にも再度上記基準板の露光及び読み取り処理を行うと共にそこで得た読み取りデータを用いたシェーディング補正値を採用する発明が記載されている。
【０００４】
また、特許文献２記載の発明は、繰り返しのコピー処理効率を向上させ、且つ、カラー原稿の読み取りで同一原稿を繰り返し読み取る場合の感光体への書き込み位置合わせの時間に間に合うようにするため、一連の画像読み取り動作に際して、原稿上を走査して画像を読み取る読み取り走査手段と、前記読み取り走査手段の一連の画像読み取り動作の最初の読み取り時に第一の位置から読み取りを開始させ、２回目以降の読み取りでは第一の位置よりも原稿位置に近い第２の位置から読み取りを開始させ、一連の画像読み取り動作の終了後に前記読み取り走査手段を第一の位置に戻す読み取り制御手段とを備えた発明が記載されている。
【特許文献１】特許第３５５３３６３号公報
【特許文献２】特開平１１−１３６４５４号公報
【発明の開示】
【発明が解決しようとする課題】
【０００５】
ところで、前記特許文献１記載の発明では、速度優先（モノクロ）モード読み取り時には、前回読み取り動作後に読み取った基準白板データを基にしてシェーディング補正を実行し、画質優先（カラー）モード読み取り時には、原稿読み取り前に再度基準白板データを読み取ってシェーディング補正を実行するようになっている。これにより、速度優先モード読み取り時は画質低下を黙認して生産性を高めている。
【０００６】
この場合、前回読み取り動作後に読み取った基準白板データが次にどのくらいの時間を経た後、使用されるのかは定かでない。引用文献１において、シェーディング補正値は短時間で大きく変化することはないと記載されているが、実際のランプ照度には温度特性が存在する。例えば、現在主流のキセノンランプでは発光時のランプ温度の差、すなわちランプが熱い、冷たいで１０％程度照度が異なる。仮にシェーディング補正値が１０％大きくなれば、補正された原稿データは１０％暗くなる。これにより本来真っ白な原稿地肌が黒くざらついたノイズの大きいデータになる可能性もある。
【０００７】
また、現在のスキャナでは連続読み取りの生産性を上げるために、シート状の原稿を移動させ、停止した光学系によって画像情報を読み取っていくシートスルー（以下、「ＤＦ」と称する。）読み取りモードを採用しているものが多い。コピー用途のＤＦ読み取りでは、スキャナ内部のタイミングに基づいて原稿を次々と移動させて読み取りを実行することが可能であるが、ＴＷＡＩＮによる読み取りの場合、１枚毎に動作を完結させる仕様であること、読み取りデータをネットワークに載せるので使用環境に依存することなどから次の原稿読み取り開始要求コマンドが遅れて出るため、生産性はコピー用途に対して低い。
【０００８】
また、スキャナは１枚あるいは一連の原稿を読み取り終了すると、終了時の手順としてランプを消灯する。この手順の後、読み取り開始要求があったとしても、スキャナは直ぐには読み取りを開始することができず、ランプオンしてから光量が安定するまでのウェイト時間分だけ遅れて読み取りを開始することになる。これでは、ＴＷＡＩＮでの読み取りが更に生産性の低いものになってしまうことになる。
【０００９】
図１Ａ及び図１Ｂは、このような従来のスキャナの代表的な動作手順を示すフローチャートである。この従来のスキャナでは、スキャン開始で照明ランプが点灯され（ステップＳ１０１）、モノクロかカラーのモードかがチェックされる（ステップＳ１０２）。そして、読み取りモード（カラー、モノクロ）に応じた動作設定を行う。ライン周期の設定、ＣＣＤ出力を増幅させる増幅率の設定など読み取りモードによって異なるものが設定される（ステップＳ１０３）。次いで、ＤＦモードかＢＯＯＫモードかがチェックされる（ステップＳ１０４）。ＤＦモードであれば、ステップＳ１０５以降の処理を実行し、ＢＯＯＫモードではＢＯＯＫモードの処理が実行される。なお、ＢＯＯＫモードはコンタクトガラス上に原稿、特に厚手の本などの原稿を置き、スキャナを副走査方向に走査させて原稿を読み取るモードであるか、ここではこのＢＯＯＫモードは対象としていないので、説明は省略する。
【００１０】
そこで、ＤＦモードであれば、ＤＦモード読み取り設定（ステップＳ１０５）、ＤＦスキャンモータ駆動設定（ステップＳ１０６）、黒レベル検出（ステップＳ１０７）、白板読み取り用ライン間補正量の設定（ステップＳ１０８）の各設定動作を行った後、ステッピングモータを駆動させ（ステップＳ１０９）、キャリッジを原稿読み取り位置（以下、ＨＰ（ホームポジション）とも称す）と基準白板間を往復させる間に基準白板を読み取ってシェーディングデータを取得する（ステップＳ１１０）。次いで、原稿読み取り用ライン間補正量を設定し（ステップＳ１１１）、キャリッジをホームポジションに停止させて原稿読み取り可能状態としてＤＦによって原稿の読み取りを行う（ステップＳ１１２）。そして、読み取り要求の有無をチェックする（ステップＳ１１３）。
【００１１】
なお、ステップＳ１０５及びＳ１０６では、ＤＦ読み取りモードに応じた動作設定を行う。読み取りのダイナミックレンジ及びＲＧＢの出力バランスを決めるためのグレーバランス調整数などである。また、キャリッジを基準白板とＨＰを往復させるためのステッピングモータ駆動パターンも設定する。
【００１２】
前記ステップＳ１０７の黒レベル検出は、画像データの基準レベルとなる黒レベルを読み取るもので、ステップＳ１０８のライン間補正量とは、基準白板を読み取るためのライン間補正量、すなわち、ＣＣＤのＲＧＢセンサが物理的に副走査方向にずれて配置されていることから、ＲＧＢデータを揃えるために時間的に早く読んだデータを遅延させる量を、このステップＳ１０８で設定する。ステップＳ１１１の補正量の設定も、原稿を読み取るためのステップＳ１０８で処理するデータ遅延量と同様である。
【００１３】
ステップＳ１１３で読み取り要求がある場合には、ステップＳ１０７に戻って次の原稿の読み取り動作を行い、読み取り要求がない場合には、原稿読み取り終了から２５００ｍｓ経過するまで待機して、読み取り要求の有無をチェックする（ステップＳ１１５）。この待機時間内に読み取り要求があればステップＳ１０２に戻って次の読み取り動作に入る。そして、原稿読み取り終了から２５００ｍｓ経過した時点、すなわち待機時間時間を経過した時点（ステップＳ１１４−ＹＥＳ）でランプをオフして（ステップＳ１１６）処理を終える。
【００１４】
このような制御は生産性の低下を回避するためのもので、図１の例では、所定時間の猶予（ステップＳ１１４−２５００ｍｓ）を与え、それ以内ではランプを消灯せずに待機し、読み取り要求が来たら直ぐにスキャンが可能なように制御している。なお、前記待機時間は一例であり、装置の機能や用途に応じて適宜設定される。
【００１５】
しかし、このように制御すると、一律に所定時間だけランプがオンしてしまうためにランプの寿命が短くなってしまうという不具合がある。
【００１６】
そこで、本発明が解決すべき課題は、ＴＷＡＩＮ読み取りの生産性を下げずに、ランプ寿命を伸ばすことにある。
【課題を解決するための手段】
【００１７】
前記課題を解決するため、第１の手段は、シート状の原稿を読み取り位置に搬送する原稿給送手段と、光源及び第１ミラーを搭載した第１キャリッジ、並びに第２及び第３ミラーを搭載した第２キャリッジとを有し、前記第１及び第２キャリッジを停止させた状態でシート状の原稿を移動させながら当該原稿上の画像情報を読み取る第１のモードと、原稿読み取り面と光学的読み取り素子間の距離を一定に保ちながら前記第１及び第２キャリッジを副走査方向に移動させて原稿画像を読み取る第２のモードとが設定された画像読み取り装置において、前記第１のモードで原稿の読み取りが終了した後、所定条件を満たす場合は光源を点灯させたまま前記第１及び第２キャリッジは前記第１のモードの読み取り位置で待機させ、所定時間内に次の読み取り要求が来たら次の読み取り動作に移行させる制御手段を備えていることを特徴とする。
【００１８】
第２の手段は、第１の手段において、前記制御手段は、第１のモードで読み取り終了後、基準白板を読み取って前記第１のモードの読み取り位置で待機させ、所定時間内に次の読み取り要求がきたら前記次の読み取り動作に移行して原稿を読み取らせ、先に取得した基準白板データを用いて補正することを特徴とする。
【００１９】
第３の手段は、第１又は第２の手段において、前記所定条件が、前記原稿給送手段の原稿台に原稿がセットされ、前記原稿給送手段が読み取り側に対して閉状態で原稿の読み取り位置に原稿を給送可能な状態であることを特徴とする。
【００２０】
第４の手段は、第１ないし第３のいずれかの手段において、カラーモードとモノクロモードの２つの読み取りモードを有し、前回の読み取りモードに対して今回要求された読み取りモードが前回のモードから変更された場合、前記制御手段は改めて基準白板データを読み取った後に原稿を読み取らせることを特徴とする。
【００２１】
第５の手段は、第４の手段において、前記制御手段は、前記要求された読み取りモードがモノクロモードからカラーモードに変更された場合のみ、改めて基準白板データを読み取った後に原稿を読み取ることを特徴とする。
【００２２】
第６の手段は、第１ないし第３のいずれかの手段において、カラーモードとモノクロモードの２つの読み取りモードを有し、前回の読み取りモードに対して今回要求された読み取りモードが前回のモードから変更された場合に、改めて基準白板データを読み取った後に原稿を読み取るか改めて基準白板データを読み取らずに原稿を読み取るかを選択する選択手段を備え、前記制御手段は前記選択手段によって選択された処理を実行させることを特徴とする。
【００２３】
第７の手段は、第１の手段において、前記第１のモードで原稿読み取り終了後、所定条件を満たす場合、前記光源を点灯させたまま第１キャリッジを基準白板位置に移動、待機させ、所定時間内に次の読み取り要求がきた場合、基準白板及び原稿を読み取ることを特徴とする。
【００２４】
第８の手段は、第１の手段において、前記所定時間内に次の読み取り要求がない場合、前記制御手段は、前記第１及び第２キャリッジを前記第１のモードの読み取り位置に移動させ、光源を消灯することを特徴とする。
【００２５】
第９の手段は、第１ないし第８のいずれかの手段に係る画像読み取り装置と、入力された画像情報に基づいて印字出力する出力手段とを備えた画像形成装置を特徴とする。
【００２６】
なお、後述の実施形態では、原稿搬送手段は自動原稿給送装置（ＡＤＦ）２００に、光源はランプ１０４に、第１ミラーは符号１０５に、第１キャリッジは符号１１１に第２ミラーは符号１０６に、第３ミラーは符号１０７に、第２キャリッジは符号１１２に、光学的読み取り素子はＣＣＤ１０９ａに、画像読み取り装置は符号１に、制御手段は制御部１２０に、基準白板（白基準板）は符号１０３に、第１のモードの読み取り位置はホームポジションＨＰに、原稿台は原稿トレイ２０４に、読み取り側は読み取り部１００に、選択手段はステップＳ６０１の判断ステップに、出力手段はプリンタ３１０に、それぞれ対応する。
【発明の効果】
【００２７】
請求項１、３及び８記載の発明によれば、所定条件（ＤＦの原稿台に原稿がセットされており、ＤＦが閉状態である）を満たす場合のみ、ランプを点灯させたまま待機するので、生産性向上とランプ長寿命化が両立できる。
【００２８】
請求項２記載の発明によれば、次の読み取り要求が来るまでに基準白板読み取り動作を行うので、より一層の生産性が向上する。
【００２９】
請求項４記載の発明によれば、読み取りモードに変更が有った場合のみ改めて基準白板データを読み取るので、正常な読み取り濃度再現範囲のシェーディング補正後の原稿データが得られる。
【００３０】
請求項５記載の発明によれば、要求された読み取りモードがモノクロモードからカラーモードに変更された場合のみ、改めて基準白板データを読み取った後に原稿を読み取るので、生産性の著しい低下が防げると伴に、望ましい画像が得られる。
【００３１】
請求項６記載の発明によれば、生産性優先、画質優先を選択できる事により、ユーザーの好みに対応した使用法を実現できる。
【００３２】
請求項７記載の発明によれば、次の読み取り要求が来るまでに基準白板位置で待機し、読み取り要求と同時に基準白板読み取りが可能なので（HP位置から基準白板位置まで移動する時間が省けるので）、生産性が向上する。
【発明を実施するための最良の形態】
【００３３】
以下、図面を参照し、本発明の実施形態について説明する。
【実施例１】
【００３４】
図８は本発明の実施形態に係る画像読み取り装置の構成を示す図である。同図において、画像読み取り装置１は読み取り部１００と自動原稿給送装置（以下、ＡＤＦと称す。）２００からなる。ＡＤＦ２００はピックアップローラ２０１、搬送ローラ２０２、搬送ドラム２０３などを駆動し、原稿トレイ２０４上に載置されたシート状の原稿Ｄが等速でシート原稿読み取り用ガラス１０１位置を通過するように搬送する。搬送された原稿は排紙トレイ２０５上に排紙され、あるいは、分岐爪２０６を動作させて排紙トレイ２０５の上方のスイッチバック部２０７でスイッチバックさせ、再度シート原稿読み取り用ガラス１０１上に反転させて送り込み、他側の面を読み取った後、排紙トレイ２０５に排紙される。
【００３５】
読み取り部１００の上側にはコンタクトガラス１０２と基準白板（白基準板）１０３、及びシート原稿読み取り用ガラス１０１が配置される。コンタクトガラス１０２はブック原稿読み取りモード時に原稿をセットするためのものであり、シート原稿読み取り用ガラス１０１はシート原稿読み取りモード時に搬送されてくる原稿Ｄを読み取るためのシート原稿読み取り窓であり、この位置で移動する原稿Ｄを読み取る。この方式は一般にシートスルー方式と称されている。
【００３６】
基準白板１０３はシェーディング補正時の補正データを得るため、主走査方向に設けられた均一濃度のほぼ白色の部材である。照明用のランプ（光源）１０４は図示していないランプ安定器から駆動電圧を印加されて点灯し、所定角度で原稿Ｄの読み取り面を照射する。ランプ１０４から照射された光は基準白板１０３、あるいは原稿Ｄで反射し、第１ないし第３の３枚のミラー１０５，１０６，１０７とレンズ１０８を経由して、光電変換素子であるＣＣＤが載ったＣＣＤ基板１０９に入射する。
【００３７】
ＣＣＤ基板１０９はＣＣＤ、クロックドライバ、タイミング信号生成部、信号処理部を備えている。ＣＣＤ基板１０９は入射光量に対応した電圧を出力し、制御基板１１０に画像データとして渡す。ランプ１０４と第１ミラー１０５は第１キャリッジ１１１に搭載され、第２及び第３の２枚のミラー１０６，１０７は第２キャリッジ１１２に搭載される。第１及び第２キャリッジ１１１，１１２は非動作時には図示した位置（シート原稿読み取りモードの読み取り位置）で待機する。シート原稿読み取りモードでは、第１及び第２キャリッジ１１１，１１２は図示したシート原稿読み取り位置ＨＰにおいて、ＡＤＦ２００によって搬送されてくる原稿を読み取る。
【００３８】
ブック原稿読み取りモードでは、第１及び第２キャリッジ１１１，１１２がスキャナモータ１１７によって駆動され、原稿読み取り面／ＣＣＤ間距離を一定に保ちながら副走査方向に移動してコンタクトガラス１０２上に置かれた原稿Ｄを読み取る。読み取り動作の詳細の説明は、公知の事項なので省略する。
【００３９】
図９は本実施形態に係る画像読み取り装置の制御構成を示すブロック図である。同図において、画像読み取り装置の制御構成は、制御部１２０を中心として信号処理部１０９ｂ、画像処理部１１５、ランプ安定器１１６、及びスキャナモータ部１１７を備えている。信号処理部１０９ｂには、ＣＣＤ１０９ａが接続され、画像処理部１１５には、信号処理部１０９ｂが接続されている。また、画像処理部１１５には、プリンタ３１０及び外部画像Ｉ／Ｆ３２０が接続され、制御部１２０には、外部Ｉ／Ｆ３３０及びＡＤＦ２００が接続されている。なお、この実施形態では、ＣＣＤ基板１０９にＣＣＤ１０９ａと信号処理部１０９ｂが搭載され、制御部１２０、画像処理部１１５、及びランプ安定器１１６は制御基板１０に搭載されていると説明しているが、スキャナモード１１７のドライバも含め、これらの制御要素を全て制御基板１１０に搭載しても良いことは言うまでもない。
【００４０】
このような制御構成の画像形成装置１では、ＣＣＤ１０９の出力は信号処理部１０９ｂ及び画像処理部１１５を介して、プリンタ３１０、外部画像Ｉ／Ｆ３２０に出力される。制御部１２０は画像読み取り装置１の全体及び各部の制御を行い、本発明に関する部分ではスキャナモータ部１１７のステッピングモータ、ＣＣＤ出力信号を処理する信号処理部１０９ｂ、画像処理部１１５、ランプ１０４、ＡＤＦ２００の制御、及び外部とのＩ／Ｆを司る。
【００４１】
制御部１２０は、ブック原稿読み取りモードではステッピングモータによって前記第１及び第２キャリッジ１１１，１１２を駆動し、基準白板１０３及び原稿Ｄを読み取る。それ以外にも制御部１２０は、信号処理部１０９ｂに対して黒オフセット検出タイミングを示す信号：ＸＢＫＤＴ、基準白板読み取りタイミングを示す信号：ＸＳＨＧＴ、原稿読み取りタイミングを示す信号：ＸＦＧＡＴＥを出力し、ランプ安定器１１６には点灯同期クロック：Ｌ＿ＣＬＫ、点灯信号：Ｌ＿ＣＮＴを出力する。
【００４２】
シート原稿読み取りモードではキャリッジ１１１，１１２は基準白板１０３とＤＦ原稿読み取り位置ＨＰを往復しながら、基準白板１０３及びシート原稿Ｄを読み取る。図１０はＤＦ読み取りモードでの読み取り時の動作を示す説明図である。第１及び第２キャリッジ１１１，１１２の駆動はステッピングモータによって行われる。これを制御する制御部１２０は、スキャナモータ部に信号、ここでは、モータ電流を設定する信号：Ｍ＿ＶＲＥＦ０〜２、モータの励磁方式を設定する信号：Ｍ＿ＭＯＤＥ０〜１、回転方向を指示する信号：ＣＷ＿ＣＣＷ、モータを駆動するためのクロック：Ｍ＿ＣＬＫを出力している。
【００４３】
ＤＦ原稿読み取り位置（シート原稿読み取り用ガラス１０１位置）ＨＰに待機している第１キャリッジ１１１は、ステッピングモータにより基準白板１０３方向に移動する（図１０点線で示す動作Ｍ１）。この時の移動距離は最低でも基準白板１０３が読める距離とする。その後、ＤＦ原稿読み取り位置方向に移動しながら（図１０実線で示す動作Ｍ２）基準白板１０３を読み取り、更にＤＦ原稿読み取り位置ＨＰまで移動し、停止する。停止後、所定の時間を置きＡＤＦ２００によって搬送された原稿ＤがＤＦ原稿読み取り位置（シート原稿読み取り用ガラス１０１位置）を通過するので、この位置で原稿情報を読み取る。
【００４４】
図２（同図Ａ及びＢ）は、この実施例１における処理手順を示すフローチャートである。この実施例は、従来例に対してＤＦモードで原稿読み取り終了後、所定条件を満たす場合はランプを点灯させたままキャリッジはＤＦモード読み取り位置ＨＰで待機し、所定時間内に次の読み取り要求が来たら次の読み取り動作に移行するものである。この実施例では、図１に示した従来例に対して、ステップＳ１１３以降、ステップＳ１１５の次の読み取り要求を待つ条件としてステップＳ２０１及びステップＳ２０２を追加したものである。
【００４５】
すなわち、図２ＢにおいてステップＳ１１３で読み取り要求がない場合には、ＡＤＦ２００の原稿トレイ２０４上の原稿Ｄの有無をチェックし（ステップＳ２０１）、原稿Ｄが載っていない場合、連続読み取りになり得ないので、それを検知した時点でランプをオフし、この処理を終了する。原稿Ｄがあれば、更に、ＡＤＦ２００の原稿給送部が閉じているかどうかをチェックし（ステップＳ２０２）、閉じていない場合、ＤＦモードで原稿を読み取ることができず、連続読み取りにはなり得ないので、それを検知した時点でランプ１０４をオフし、この処理を終了する。閉状態であれば、そのままステップＳ１１４の処理に移行し、前記図１で説明したような処理を進めることになる。
【００４６】
本実施例によれば、ステップＳ２０１及びＳ２０２の処理を行うことにより、ＴＷＡＩＮ以外の場合は読み取り終了後、直ぐにランプオフされるのでランプ寿命を伸ばすことができる。
【実施例２】
【００４７】
この実施例は、ＤＦモードで原稿読み取り終了後、所定条件を満たす、例えばＡＤＦの原稿台に原稿がセットされており、ＡＤＦが閉状態である場合はランプを点灯させたまま基準白板を読み取ってキャリッジはＤＦモード読み取り位置で待機し、所定時間内に次の読み取り要求が来たら原稿を読み取り、先に取得した基準白板データを用いて補正する例である。
【００４８】
図３（同図Ａ及びＢ）は、この実施例２における処理手順を示すフローチャートである。この実施例は、図２に示した実施例１におけるステップＳ１０７とステップＳ１０８の間にステップＳ３０１の判断処理を行い、また、ステップＳ１１４とステップＳ１１５の間にステップＳ３０２ないしＳ３０５の処理を行うというもので、他のステップは図２と同一である。
【００４９】
すなわち、図３Ａに示すステップＳ１０７で黒レベル検出を行った後、ステップＳ３０１で所定時間待機している間に基準白板データの読み取りが済んだかどうかを確認する。読み取りが終了していれば、ステップＳ１０８ないしステップＳ１１０の基準白板読み取りに関する処理をスキップしてステップＳ１１１の処理へ移行して原稿読み取り用ライン間補正量を設定する。読み取りが終了していなければ、ステップＳ１０８以降の処理を順次実行する。
【００５０】
一方、ステップＳ３０１からステップＳ１１４まで処理を進めた後、図３Ｂに示すステップＳ３０２で所定時間待機している間に基準白板データの読み取りが済んだかどうかを確認する。読み取りが終了していれば、ステップＳ３０３ないしステップＳ３０５をスキップしてステップＳ１１５で引き続き次の読み取り要求を待つ。ステップＳ３０２で読み取りが終了していなければ、ステップＳ３０３ないしＳ３０５で所定時間待機している間に基準白板データをまだ読み取っていない場合に基準白板読み取りを実行する。すなわち、基準白板１０３を読み取るためのライン間補正量の設定を行った後、ステッピングモータを駆動させ、キャリッジをＨＰ、基準白板間往復させる間に基準白板１０３を読み取り、ＨＰで引き続き次の読み取り要求を待つ。
【００５１】
その他、特に説明しない各部は前述の実施例１と同等に構成され、同等に機能し、また、同等に処理される。
【００５２】
本実施例によれば、ステップＳ３０２ないしステップＳ３０５の処理と、ステップＳ３０１における判断により、Ｓ１０８〜１１０の処理を省くことができ、直ぐに原稿読み取りを行うことが可能となる。また、次の読み取り要求が来るまでに基準白板読み取り動作を行うので、より一層の生産性の向上を図ることができる。
【００５３】
なお、本実施例では、基準白板データは所定の待機時間（２５００ｍｓ）以内のデータの鮮度保証があるので、前述の引用文献１におけるランプ照度には温度特性に依存するノイズの多いデータとなることを回避することができる。
【実施例３】
【００５４】
この実施例は、前回の読み取りモード（カラー／モノクロ）に対して今回要求された読み取りモードに変更があった場合、改めて基準白板データを読み取った後に原稿を読み取るようにした例である。
【００５５】
図４（同図Ａ及びＢ）は、この実施例３における処理手順を示すフローチャートである。この実施例は、図３に示した実施例２におけるステップＳ３０１の判断結果に対して更にステップＳ４０１の判断を追加したもので、他のステップは図３と同一である。すなわち、図４ＡのステップＳ３０１で待機時に基準白板データ読み取りを実行したかどうかを確認し、実行していなければ、無条件にステップＳ１０８以降で基準白板読み取りを実行する。一方、読み取りを実行していれば、ステップＳ４０１で今回の読み取りモード（カラー、モノクロ）が前回と同じ読み取りモードかを判断し、異なる場合はステップＳ１０８に移行して基準白板読み取りを実行し、同じであればステップＳ１０８ないしＳ１１０をスキップしてステップＳ１１１以降の処理に進む。
【００５６】
その他、特に説明しない各部は前述の実施例１と同等に構成され、同等に機能する。また、実施例１及び実施例２と同等に処理される。
【００５７】
本実施例によれば、前記ステップＳＳ４０１の処理を行うことにより、読み取りモードの相違による白基準（シェーディング補正）データの不一致を防止することが可能になる。その結果、安定した画像を得ることができる。また、読み取りモードに変更があった場合のみ改めて基準白板データを読み取るので、正常な読み取り濃度再現範囲のシェーディング補正後の原稿データが得られる。
【実施例４】
【００５８】
この実施例は、要求された読み取りモードがモノクロモードからカラーモードに変更された場合のみ、改めて基準白板データを読み取り、その後に原稿を読み取るようにした例である。
【００５９】
図５（同図Ａ及びＢ）は、この実施例４における処理手順を示すフローチャートである。この実施例は、図４におけるステップＳ４０１をステップＳ５０１に置換しただけで、他のステップは図４と同一である。すなわち、図５のステップＳ３０１で待機時に基準白板データ読み取りを実行したかどうかを確認し、実行していなければ、無条件にステップＳ１０８以降で基準白板読み取りを実行する。一方、読み取りを実行していれば、ステップＳ５０１で、前回の読み取りモードがモノクロモードで、今回の読み取りモードがカラーモードかを判断し、カラーモードであれば、ステップＳ１０８以降の基準白板読み取りを実行する。そうでなければ、ステップＳ１１１にスキップして当該ステップ以降の処理を実行する。
【００６０】
ステップＳ５０１では、モノクロモードからカラーモード以外は許容している。両モードの読み取り再現濃度領域が同じとしても、一般にモノクロモードの方が生産性を高めるために線速が大きいことが多い。この場合、モノクロモード読み取りデータの方がＳ／Ｎが悪くなる。これを用いてカラーモードで読み取った原稿データに対してシェーディング補正を行うと、処理結果はＳ／Ｎが悪くなり、がさついた画像になってしまう。しかし、ステップＳ５０１の処理を行うことにより、このようながさついた画像となることを防止することが可能となり、安定した画像を得ることができる。
【００６１】
その他、特に説明しない各部は前述の実施例１と同等に構成され、同等に機能する。また、実施例３と同等に処理される。
【００６２】
本実施例によれば、カラーモードからモノクロモードに変更された場合は、Ｓ／Ｎの良い白板データでシェーディング補正を行うことになるので画像劣化が生じることはない。このため、改めて基準白板データを読み取る必要がなくなることから生産性の著しい低下を防ぐことが可能となるとともに、望ましい画像を得ることができる。
【実施例５】
【００６３】
この実施例は、前回の読み取りモード（カラー／モノクロ）に対して今回要求された読み取りモードに変更があった場合、改めて基準白板データを読み取った後に原稿を読み取るか、改めて基準白板データを読み取らずに原稿を読み取るかを選択することができるようにした例である。
【００６４】
図６（同図Ａ及びＢ）は、この実施例５における処理手順を示すフローチャートである。この実施例は図４におけるステップ４０１の後段にステップ６０１の判断を加えたもので、他のステップは図４と同一である。すなわち、図６ＡのステップＳ４０１で今回の読み取りモード（カラー、モノクロ）が前回と同じ読み取りモードかを判断し、前回の読み取りモード（カラー／モノクロ）に対して今回要求された読み取りモードに変更があった場合、改めて基準白板データを読み取るか否かを判断し、読み取るのであれば、ステップＳ１０８に移行して基準白板読み取りを実行し、読み取らないのであればステップＳ１０８ないしＳ１１０をスキップしてステップＳ１１１以降の処理に進む。改めて基準白板データを読み取るか否かについては、例えば図示しない画像形成装置の操作パネルからユーザが設定する。
【００６５】
その他、特に説明しない各部は前述の実施例１と同等に構成され、同等に機能する。また、実施例３と同等に処理される。
【００６６】
本実施例によれば、ステップＳ６０１で基準白板の再読み取りをユーザの好みに応じて生産性優先あるいは画質優先かを選択することができる。これによりユーザの使用性の向上を図ることができる。
【実施例６】
【００６７】
この実施例は、ＤＦモードで原稿読み取り終了後、所定条件を満たす場合、ランプを点灯させたままキャリッジを基準白板位置に移動、待機させ、所定時間内に次の読み取り要求が来た場合、基準白板、原稿を読み取るようにし、また、前記待機状態で、所定時間内に次の読み取り要求がない場合、キャリッジをＨＰ位置に移動させるとともにランプを消灯するようにした例である。
【００６８】
図７（同図Ａ及びＢ）は、この実施例６における処理手順を示すフローチャートである。この実施例は実施例１の処理に対してキャリッジを基準白板位置に移動し、次の読み取り要求が来るのを待つという点が相違する。そのため、図２のフローチャートに対してステップＳ１０７の後段にステップＳ７０１の判断が追加され、また、ステップＳ１０９に代えてステップＳ７０２の処理とし、ステップＳ１１０の後段にステップＳ７０３の処理が追加されている。更に、ステップＳ１１４とステップＳ１１５との間にステップＳ７０５ないしＳ７０７のステップを、また、ステップＳ１１６の前段にステップＳ７０４がそれぞれ追加されている。
【００６９】
図７Ａのフローチャートでは、ステップＳ１０７で黒レベル算出を行った後、キャリッジが基準白板位置に位置しているかどうかを確認する。基準白板位置に位置していれば、キャリッジを移動させる必要がないので、そのままステップＳ１１０で基準白板の読み取りを実行し、白板位置に位置していなければ、キャリッジを移動させるためにステップＳ１０８で基準白板を読み取るためのライン間補正量の設定を行い、ステップＳ７０２でキャリッジを基準白板位置へ移動させる。そして、ステップＳ１１０で基準白板の読み取りを行い、ステップＳ７０３でキャリッジをＨＰに移動させ、ステップＳ１１１以降の処理を実行する。
【００７０】
一方、図７ＢのステップＳ１１４で待機時間が経過していなければ、ステップＳ７０５でキャリッジが基準白板位置にいるかどうかを確認し、基準白板位置にいれば、ステップＳ１１５に移行し、いなければステップＳ７０６で基準白板を読み取るためのライン間補正量の設定を行い、ステップＳ７０７でキャリッジを基準白板位置へ移動させ、ステップＳ１１５に移行する。また、ステップＳ２０１，Ｓ２０２，Ｓ２０３で、待機する条件が成立せず、待機状態から抜ける場合は、ステップＳ７０４でキャリッジをＨＰ位置に移動させ、ステップＳ１１６でランプを消灯する。
【００７１】
その他、特に説明しない各部は前述の実施例１と同等に構成され、同等に機能し、また、同等に処理される。
【００７２】
本実施例によれば、次の読み取り要求が来るまでに基準白板位置で待機し、読み取り要求と同時に基準白板読み取りが可能なので、言い換えれば、ＨＰ位置から基準白板位置まで移動する時間が省けるので、生産性が向上する。また、必要以上にランプが点灯し続けることがないので、極端なランプの寿命劣化を防止することができる。
【００７３】
なお、本実施形態では、画像読み取り装置１について述べているが、画像読み取り装置１とプリンタ３１０とを組み合わせることにより、複写機を構成することができる。また、外部Ｉ／Ｆにネットワークを接続すればネットワークスキャナとして機能し、パソコンを接続すればスタンドアローンのスキャナとして機能し、外部画像Ｉ／Ｆに公衆回線を接続して、プリンタ出力可能に構成すれば、ファクシミリとして機能させることができる。そのため、本実施形態では、画像読み取り装置１を核とした画像形成装置を構成することができる。
【００７４】
以上のように本実施形態によれば、
１）ＡＤＦの原稿台に原稿がセットされており、ＡＤＦが閉状態であるという条件を満たす場合のみ、ランプを点灯させたまま待機するので、ＴＷＡＩＮ読み取りの生産性向上とランプの長寿命化の両立が可能となる。  
２）次の読み取り要求が来るまでに基準白板読み取り動作を行うので、より一層、ＴＷＡＩＮ読み取りの生産性が向上する。  
３）読み取りモードに変更があった場合のみ改めて基準白板データを読み取るので、正常な読み取り濃度再現範囲のシェーディング補正後の原稿データを得ることができる。  
４）要求された読み取りモードがモノクロモードからカラーモードに変更された場合のみ、改めて基準白板データを読み取った後に原稿を読み取るので、生産性の著しい低下を防ぐことが可能となるとともに、望ましい画像を得ることができる。  
５）生産性優先、画質優先を選択できるので、ユーザの好みに対応した使用法の実現が可能となり、使用性の向上を図ることができる。  
６）次の読み取り要求が来るまでに基準白板位置で待機し、読み取り要求と同時に基準白板読み取りが可能なので、ＨＰ位置から基準白板位置まで移動する時間を省くことが可能となり、生産性の向上を図ることができる。  
７）所定条件を満たす場合は光源を点灯させたまま第１及び第２キャリッジは第１のモードの読み取り位置で待機させ、所定時間内に次の読み取り要求が来た場合のみ画像の読み取り動作を行わせるので、読み取りの生産性を下げずに、ランプ寿命を伸ばすことができる。  
という効果を奏する。
【図面の簡単な説明】
【００７５】
【図１Ａ】従来のスキャナの代表的な動作手順を示すフローチャート（その１）である。
【図１Ｂ】従来のスキャナの代表的な動作手順を示すフローチャート（その２）である。
【図２Ａ】実施例１における処理手順を示すフローチャート（その１）である。
【図２Ｂ】実施例１における処理手順を示すフローチャート（その２）である。
【図３Ａ】実施例２における処理手順を示すフローチャート（その１）である。
【図３Ｂ】実施例２における処理手順を示すフローチャート（その２）である。
【図４Ａ】実施例３における処理手順を示すフローチャート（その１）である。
【図４Ｂ】実施例３における処理手順を示すフローチャート（その２）である。
【図５Ａ】実施例４における処理手順を示すフローチャート（その１）である。
【図５Ｂ】実施例４における処理手順を示すフローチャート（その２）である。
【図６Ａ】実施例５における処理手順を示すフローチャート（その１）である。
【図６Ｂ】実施例５における処理手順を示すフローチャート（その２）である。
【図７Ａ】実施例６における処理手順を示すフローチャート（その１）である。
【図７Ｂ】実施例６における処理手順を示すフローチャート（その２）である。
【図８】本発明の実施形態に係る画像読み取り装置の構成を示す図である。
【図９】本発明の実施形態に係る画像読み取り装置の制御構成を示すブロック図である。
【図１０】本発明の実施形態におけるＤＦ読み取りモードでの読み取り時の動作を示す説明図である。
【符号の説明】
【００７６】
１  画像読み取り装置
１０１  シート原稿読み取り用ガラス
１０２  コンタクトガラス
１０３  基準白板（白基準板）
１０４  ランプ
１０５  第１ミラー
１０６  第２ミラー
１０７  第３ミラー
１０８  レンズ
１０９  ＣＣＤ基板
１０９ａ  ＣＣＤ
１０９ｂ  信号処理部
１１０  制御基板
１１１  第１キャリッジ
１１２  第２キャリッジ
１１５  画像処理部
１１６  ランプ安定器
１１７  スキャナモータ部
２００  自動原稿給送装置（ＡＤＦ）
２０４  原稿トレイ
Ｄ  原稿
【図１Ａ】
2009130380.tif 000003
【図１Ｂ】
2009130380.tif 000004
【図２Ａ】
2009130380.tif 000005
【図２Ｂ】
2009130380.tif 000006
【図３Ａ】
2009130380.tif 000007
【図３Ｂ】
2009130380.tif 000008
【図４Ａ】
2009130380.tif 000009
【図４Ｂ】
2009130380.tif 000010
【図５Ａ】
2009130380.tif 000011
【図５Ｂ】
2009130380.tif 000012
【図６Ａ】
2009130380.tif 000013
【図６Ｂ】
2009130380.tif 000014
【図７Ａ】
2009130380.tif 000015
【図７Ｂ】
2009130380.tif 000016
【図８】
2009130380.tif 000017
【図９】
2009130380.tif 000018
【図１０】
2009130380.tif 000019